(57)【要約】【課題】 高速ＷＰＡＮにおいてＭＰＥＧ−２ビデオのようなＶＢＲストリームを効率的に支援することができるチャネル時間割り当て方法を提供する。【解決手段】 本発明に係るチャネル時間割り当て方法は、１つの調整装置からブロードキャストされる同期信号により同期化される無線ネットワークにおいて、前記無線ネットワークにリンクされた複数の無線装置のうちのいずれか１つが、転送すべきアプリケーションデータの特性に対応するチャネル時間割当要求コマンドを、前記仲裁者に転送するステップと、前記調整装置が前記チャネル時間割当要求コマンドを参照してチャネル時間を割り当て、割り当てられたチャネル時間に関する情報を前記同期信号に挿入して前記複数の無線装置にブロードキャストするステップとを含む。【選択図】   図２
2004343759.tif 000002
【特許請求の範囲】
【請求項１】
１つの調整装置からブロードキャストされる同期信号により同期化される無線ネットワークにおけるチャネル時間割り当て方法であって、
前記無線ネットワークにリンクされた複数の無線装置のうちのいずれか１つが、転送すべきアプリケーションデータの特性に対応するチャネル時間割当要求コマンドを、前記調整装置に転送するステップと、
前記調整装置が前記チャネル時間割当要求コマンドを参照してチャネル時間を割り当て、割り当てられたチャネル時間に関する情報を前記同期信号に挿入して前記複数の無線装置にブロードキャストするステップと、
を含むことを特徴とするチャネル時間割り当て方法。
【請求項２】
前記同期信号に挿入された前記割り当てられたチャネル時間に関する情報に基づいて、前記アプリケーションデータを前記複数の無線装置間に送受信するステップをさらに含むことを特徴とする請求項１に記載のチャネル時間割り当て方法。
【請求項３】
前記無線ネットワークは、ＩＥＥＥ８０２．１５．３ｘ標準の高速ＷＰＡＮであることを特徴とする請求項１に記載のチャネル時間割り当て方法。
【請求項４】
前記ブロードキャストするステップでは、前記アプリケーションデータのフレーム周期によってスーパーフレームの周期を調節して前記チャネル時間を割り当てることを特徴とする請求項３に記載のチャネル時間割り当て方法。
【請求項５】
前記チャネル時間割当要求コマンドは、前記アプリケーションデータの特性を示すフィールドをチャネル時間要求コマンドに付加して生成することを特徴とする請求項３に記載のチャネル時間割り当て方法。
【請求項６】
前記アプリケーションデータは、ＭＰＥＧ−２ビデオタイプのＶＢＲストリームであることを特徴とする請求項５に記載のチャネル時間割り当て方法。
【請求項７】
前記アプリケーションデータの特性を示すフィールドは、アプリケーションデータのタイプ、付加されたフィールドの全体長さ、チャネル時間割り当て周期、ＧＯＰのフレーム数、Ｐフレーム間の間隔、最大Ｉフレームの大きさに対応する時間、最大Ｐフレームの大きさに対応する時間、および最大Ｂフレームの大きさに対応する時間のうちの少なくともいずれか１つの情報を含むことを特徴とする請求項６に記載のチャネル時間割り当て方法。
【請求項８】
前記複数の無線装置は、ＩＥＥＥ８０２．１５．３ｘ標準の階層管理を使用し、前記アプリケーション特性をＭＬＭＥに転送するＭＬＭＥ ＳＡＰをさらに含むことを特徴とする請求項１に記載のチャネル時間割り当て方法。
【請求項９】
前記無線ネットワークは、無線個人領域ネットワークであることを特徴とする請求項１に記載のチャネル時間割り当て方法。
【請求項１０】
無線個人領域ネットワーク環境で動作する無線システムにおいて、
前記無線個人領域ネットワークにリンクされた複数の無線装置と、
前記複数の無線装置に同期信号をブロードキャストして同期化させる調整装置と、を含み、
前記複数の無線装置のうちのいずれか１つが、転送すべきアプリケーションデータの特性に対応するチャネル時間割当要求コマンドを、前記調整装置に転送すると、前記調整装置が前記チャネル時間割当要求コマンドを参照して割り当てられたチャネル時間に関する情報を前記同期信号に挿入して前記複数の無線装置にブロードキャストし、前記複数の無線装置は、割り当てられたチャネル時間に基づいて前記アプリケーションデータを送受信することを特徴とする無線システム。
【請求項１１】
前記無線個人領域ネットワークは、ＩＥＥＥ８０２．１５．３ｘ標準の高速ＷＰＡＮであることを特徴とする請求項１０に記載の無線システム。
【請求項１２】
前記調整装置は、前記アプリケーションデータのフレーム周期によってスーパーフレームの周期を調節して前記チャネル時間を割り当てることを特徴とする請求項１１に記載の無線システム。
【請求項１３】
前記チャネル時間割当要求コマンドは、前記アプリケーションデータの特性を示すフィールドをチャネル時間要求コマンドに付加して生成することを特徴とする請求項１２に記載の無線システム。
【請求項１４】
前記アプリケーションデータは、ＭＰＥＧ−２ビデオタイプのＶＢＲストリームであることを特徴とする請求項１３に記載の無線システム。
【請求項１５】
前記アプリケーションデータの特性を示すフィールドは、アプリケーションデータのタイプ、付加されたフィールドの全体長さ、チャネル時間割り当て周期、ＧＯＰのフレーム数、Ｐフレーム間の間隔、最大Ｉフレームの大きさに対応する時間、最大Ｐフレームの大きさに対応する時間、および最大Ｂフレームの大きさに対応する時間のうちの少なくともいずれか１つの情報を含むことを特徴とする請求項１４に記載の無線システム。
【請求項１６】
前記複数の無線装置は、ＩＥＥＥ８０２．１５．３ｘ標準の階層管理を使用し、前記アプリケーション特性をＭＬＭＥに転送するＭＬＭＥ ＳＡＰをさらに含むことを特徴とする請求項１０に記載の無線システム。
【発明の詳細な説明】
【技術分野】
【０００１】
本発明は、チャネル時間割り当て方法およびこの方法を使用する無線システムに関し、より詳しくは、無線個人領域ネットワークにおいてＭＰＥＧ−２ビデオのようなＶＢＲ（Variable Bit Rate，可変ビットレート）ストリームを効率的に支援することができるチャネル時間割り当て方法およびこの方法を使用する無線システムに関する。
【背景技術】
【０００２】
無線個人領域ネットワーク（Wireless Personal Area Network、以下「ＷＰＡＮ」と略する）は、既存のＰＡＮ（Personal Area Network）を無線を利用して具現するシステムの総称である。個人用ネットワークと呼ばれるＰＡＮは、広く知られた近距離通信網（ＬＡＮ）や遠距離通信網（ＷＡＮ）と対比される概念で、個人レベルでそれぞれ固有のネットワークを有するものを意味する。即ち、個人それぞれの所有している機器が、個人それぞれの便宜を図るためのネットワークを構成するようになる。
【０００３】
かかるＰＡＮを無線で構築するための努力として、ＩＥＥＥ８０２．１５ワーキンググループは、短距離無線ネットワークの標準としてＷＰＡＮを決定し、その下に４つのＴａｓｋ Ｇｒｏｕｐを置いている。ＩＥＥＥ８０２．１５．１が有名なブルートゥス（Bluetooth）であり、ＩＥＥＥ８０２．１５．３は高速ＷＰＡＮを、ＩＥＥＥ８０２．１５．４は低速ＷＰＡＮを扱っている。
【０００４】
ＷＰＡＮは、近距離無線ネットワークであって、パソコン、個人携帯情報端末、無線プリンタ、メモリ装置、無線電話機、セットトップボックスなどの種々の電子装備のような携帯用コンピューティング装備を支援する。さらには、ＩＥＥＥ８０２．１５．３標準あるいはＩＥＥＥ８０２．１５．３ａなどのように、これを改善した標準（以下、「ＩＥＥＥ８０２．１５．３ｘ」という）による高速ＷＰＡＮによれば、近距離無線環境でリアルタイムビデオおよび高品質オーディオ、大容量ファイルの転送が可能となる。即ち、高速ＷＰＡＮの重要な応用分野が、マルチメディアストリーミングであって、デジタルビデオカメラからＴＶ画面に再生するか、ビデオファイルをパソコンなどに格納する場合などが挙げられる。ＩＥＥＥ８０２．１５．３ｘ標準は、マルチメディアＱｏＳ（Quality of service）機能を支援するために周期的にＣＦＰ（Contention Free Period）を設け、この区間でＴＤＭＡ（Time Division Multiple Access，時分割多元接続）方式を使用するように構成されている。
【０００５】
ところで、ＭＰＥＧ−２ビデオは、時間別フレームの大きさが異なるＶＢＲストリーム特性を有する。従って、ＶＢＲストリームは、ＴＤＭＡ方式で支援する場合、最も大きなフレームの大きさに合わせてチャネル時間を割り当てると、ＰフレームやＢフレームの転送時間の浪費を招来するようになる。その反面、ピークデータレートでチャネル時間を割り当てない場合は、ＩフレームまたはＰフレームの転送時に時間不足が発生することがあり得る。従って、各フレームの周期に合わせてチャネル時間を割り当てる必要性がある。また、無線チャネルのエラー確率が有線のそれより高く、また、Ｉフレームの場合、他のフレームのデコーディングに影響を与えるという点から、Ｉフレームに対しては転送の信頼性を保障する必要もある。
【０００６】
しかし、現在のチャネル時間割り当て方法は、ＭＰＥＧ−２ビデオのようなＶＢＲストリームを十分支援していないという欠点を有する。即ち、現在のチャネル時間割り当て方法では、スーパーフレーム毎に固定された大きさにチャネル時間を割り当てているため、ＶＢＲストリームの可変的な時間要求量を満たすことができない。また、スーパーフレーム単位を周期としてチャネル時間を割り当てているため、ＶＢＲストリームの固有な周期性と合わないことがあり得る。これによって、フレームを転送する時点においてチャネル時間が割り当てられていないか、フレームを転送する必要がない時点において無駄にチャネル時間が割り当てられるなどのような非効率性が発生する。
【０００７】
前述のような問題点を解決するため、ＴＤＭＡ方式でチャネル時間を動的に（可変的に）割り当てる幾つかの方法が提案されている。第一の方法は、中央のコントローラが各ユーザまたはデバイスの現在チャネル使用量を検査し、検査された値が既に割り当てられたスロット数より大きい場合は、スロット割り当てを増加させ、そうでない場合は、スロット割り当てを減らす方法である。第二の方法は、各ユーザの現在キューサイズをコントローラにフィードバックし、コントローラは、これを参照して動的にチャネル時間を追加的に割り当てる方法である。
【０００８】
しかし、第一の方法では、過去の使用量の測定値をもってこれからのチャネル時間割り当て量を決定するようになるため、ＭＰＥＧ−２ビデオのようなＶＢＲストリームの特性に合わないという問題点がある。また、第二の方法では、現在要求量を参照して追加的にチャネル時間を割り当てる必要があるため、現フレームの転送期限内にチャネル時間を割り当てることが保障されないという問題点がある。さらには、かかる方法は、常に中央のコントローラが各ユーザまたはデバイスの現在チャネル使用量あるいは要求量をモニタリングするというオーバーヘッドを発生させるという共通の問題点もある。
【発明の開示】
【発明が解決しようとする課題】
【０００９】
従って、本発明の目的は、高速ＷＰＡＮにおいてＭＰＥＧ−２ビデオのようなＶＢＲストリームを効率的に支援することができるチャネル時間割り当て方法を提供することにある。
【課題を解決するための手段】
【００１０】
上記の目的を達成するための本発明に係るチャネル時間割り当て方法は、１つの調整装置からブロードキャストされる同期信号により同期化される無線ネットワークにおいて、前記無線ネットワークにリンクされた複数の無線装置のうちのいずれか１つが、転送すべきアプリケーションデータの特性に対応するチャネル時間割当要求コマンドを、前記調整装置に転送するステップと、前記調整装置が前記チャネル時間割当要求コマンドを参照してチャネル時間を割り当て、割り当てられたチャネル時間に関する情報を前記同期信号に挿入して前記複数の無線装置にブロードキャストするステップと、を含む。
【００１１】
好ましくは、前記同期信号に挿入された前記割り当てられたチャネル時間に関する情報に基づいて、前記アプリケーションデータを前記複数の無線装置間に送受信するステップをさらに含む。また、前記無線ネットワークは、ＩＥＥＥ８０２．１５．３ｘ標準の高速ＷＰＡＮであり、前記ブロードキャストするステップでは、前記アプリケーションデータのフレーム周期によってスーパーフレームの周期を調節して前記チャネル時間を割り当てることが好ましい。
【００１２】
前記チャネル時間割当要求コマンドは、前記アプリケーションデータの特性を示すフィールドをチャネル時間要求コマンドに付加して生成することができ、前記アプリケーションデータは、ＭＰＥＧ−２ビデオタイプのＶＢＲストリームであることが好ましい。
【００１３】
このとき、前記アプリケーションデータの特性を示すフィールドは、アプリケーションデータのタイプ、付加されたフィールドの全体長さ、チャネル時間割り当て周期、ＧＯＰのフレーム数、Ｐフレーム間の間隔、最大Ｉフレームの大きさに対応する時間、最大Ｐフレームの大きさに対応する時間、および最大Ｂフレームの大きさに対応する時間のうちの少なくともいずれか１つの情報を含むことが好ましい。また、前記複数の無線装置は、ＩＥＥＥ８０２．１５．３ｘ標準の階層管理を使用し、前記アプリケーション特性をＭＬＭＥ（MAC Layer Management Entity）に転送するＭＬＭＥ ＳＡＰをさらに含むことが好ましい。
【００１４】
さらに、本発明に係る無線システムは、無線個人領域ネットワーク環境で動作し、前記無線個人領域ネットワークにリンクされた複数の無線装置と、前記複数の無線装置に同期信号をブロードキャストして同期化させる調整装置とを含み、前記複数の無線装置のうちのいずれか１つが転送すべきアプリケーションデータの特性に対応するチャネル時間割当要求コマンドを、前記調整装置に転送すると、前記調整装置が前記チャネル時間割当要求コマンドを参照して割り当てられたチャネル時間に関する情報を前記同期信号に挿入して前記複数の無線装置にブロードキャストし、前記複数の無線装置は、割り当てられたチャネル時間に基づいて前記アプリケーションデータを送受信するようになる。
【００１５】
前記無線個人領域ネットワークは、ＩＥＥＥ８０２．１５．３ｘ標準の高速ＷＰＡＮであり、前記調整装置は、前記アプリケーションデータのフレーム周期によってスーパーフレームの周期を調節して前記チャネル時間を割り当てることが好ましい。前記チャネル時間割当要求コマンドは、前記アプリケーションデータの特性を示すフィールドをチャネル時間要求コマンドに付加して生成することが好ましく、前記アプリケーションデータは、ＭＰＥＧ−２ビデオタイプのＶＢＲストリームであることが好ましい。このとき、前記アプリケーションデータの特性を示すフィールドは、アプリケーションデータのタイプ、付加されたフィールドの全体長さ、チャネル時間割り当て周期、ＧＯＰのフレーム数、Ｐフレーム間の間隔、最大Ｉフレームの大きさに対応する時間、最大Ｐフレームの大きさに対応する時間、および最大Ｂフレームの大きさに対応する時間のうちの少なくともいずれか１つの情報を含むことが好ましい。また、前記複数の無線装置は、ＩＥＥＥ８０２．１５．３ｘ標準の階層管理を使用し、前記アプリケーション特性をＭＬＭＥに転送するＭＬＭＥ ＳＡＰをさらに含むことが好ましい。
【発明の効果】
【００１６】
本発明によれば、ＭＰＥＧ−２ビデオのようなＶＢＲストリームデータの特性に合うようにチャネル時間を割り当てることができるため、ＶＢＲストリームのＱｏＳを提供すると共にＩフレームの転送の信頼性を向上させ、全体としてフレームのデコーディング成功確率を高くすることが可能となる。そして、調整装置（coordinator）に各ストリームのパターンを知らせることで、調整装置がストリームの統計的多重化方式を高くする方向にスケジュールを計算することもできる。
【発明を実施するための最良の形態】
【００１７】
以下、図面を参照して本発明について詳述する。
【００１８】
図１は、一般のＷＰＡＮの構成を示す図である。同図に示されたように、複数の無線装置たるデータデバイス（ＤＥＶ）１０〜５０は、ＷＰＡＮ環境下で１つのピコネットを構成し、ピコネット内の１つのデータデバイス５０がピコネット調整装置（Piconet Coordinator、以下「ＰＮＣ」と略する）となる。ＰＮＣ５０は、残りのデータデバイス、即ち、ＤＥＶ１（１０）、ＤＥＶ２（２０）、ＤＥＶ３（３０）およびＤＥＶ４（４０）に同期信号であるビーコンをブロードキャストしてピコネットにリンクされたデータデバイス１０〜５０を同期化させる。
【００１９】
図２は、本発明に係るチャネル時間割り当て方法を提供するためのデータデバイスの構成を示す図である。同図に示されたように、データデバイスの構成は、ＩＥＥＥ８０２．１５．３ｘ標準の階層管理（layer management）を基本とし、ＤＭＥ（Device Management Entity）上のアプリケーションプロファイルおよびアプリケーションプロファイルの要求事項を反映してチャネル時間要求を行うことができる機能が追加されたＭＬＭＥ ＳＡＰ（MAC layer Management Entity Service Access Point）において異なっている。
【００２０】
アプリケーションプロファイルは、アプリケーションデータの特性を記述する様式であって、各アプリケーションによってその内容が異なっている。本発明では、ＭＰＥＧ−２ビデオに対するプロファイルを、次の〔表１〕のように定義する。
【表１】
2004343759.tif 000003
【００２１】
〔表１〕においてＥｎｖｅｌｏｐｅとは、複数のＧＯＰ（Group of Picture）をまとめたもので、フレーム種類別のチャネル時間を算出する対象をいう。すべてのＭＰＥＧ−２ビデオストリームは、〔表１〕のパラメータＥによって１つ以上のＥｎｖｅｌｏｐｅに分けられる。
【００２２】
図３は、本発明に係るチャネル時間割り当て方法を説明するためのメッセージシーケンスチャート（ＭＳＣ）である。同図に示されたように、先ず、ＤＥＶ１（１０）は、ＰＮＣ５０にチャネル時間割当要求コマンド（channel time Allocation request command）を転送する（Ｓ１００）。ＤＥＶ１（１０）がＰＮＣ５０に転送するチャネル時間割当要求コマンドは、図４に示されたような、ＩＥＥＥ８０２．１５．３ｘに準じた従来のチャネル時間要求コマンドに、アプリケーションからのパラメータが付加されるものである。即ち、図５に示されたような新しいフィールドが従来のチャネル時間要求コマンドの最後に追加される。図５において、タイプフィールドは、ＭＰＥＧ−２のようなアプリケーションのタイプを示し、Ｌｅｎフィールドは、続くフィールドの長さを示す。フレームレートフィールドは、ＣＴＡ（Channel Time Allocation）の周期を示し、ＮフィールドとＭフィールドは、〔表１〕に定義された通りである。Ｉｔｉｍｅフィールドは、最も大きなＩフィールドの大きさに対応する時間、Ｐｔｉｍｅは、最も大きなＰフィールドの大きさに対応する時間、Ｂｔｉｍｅは、最も大きなＢフィールドの大きさに対応する時間をそれぞれ示す。従って、Ｉｔｉｍｅ、ＰｔｉｍｅおよびＢｔｉｍｅは、それぞれ〔表１〕のＩｍａｘ、ＰｍａｘおよびＢｍａｘパラメータの値を用いて計算することができる。
【００２３】
図６は、各ＥｎｖｅｌｏｐｅのＩｍａｘ、Ｐｍａｘ、Ｂｍａｘパラメータの値から、Ｉｔｉｍｅ、Ｐｔｉｍｅ、Ｂｔｉｍｅフィールド値を決定する方法を示している。同図に示されたように、与えられた ＥｎｖｅｌｏｐｅでＩフレームの最も大きな値にＡＣＫを再転送するための時間を加えた値がＩｔｉｍｅとなり、ＰフレームおよびＢフレームの最も大きな値がそれぞれＰｔｉｍｅおよびＢｔｉｍｅとなる。
【００２４】
なお、ＤＥＶ１（１０）からチャネル時間割当要求コマンドを転送する過程は、内部的にＭＬＭＥがＭＬＭＥ ＳＡＰを介してアプリケーションの特性を渡され、これを反映したチャネル時間要求メッセージをＰＮＣ５０に転送するようになる。即ち、ＭＰＥＧ−２ストリームは、Ｅｎｖｅｌｏｐｅ単位に分けられるため、各ＥｎｖｅｌｏｐｅのＩｍａｘ、Ｐｍａｘ、Ｂｍａｘパラメータ値が変化する都度、ＭＬＭＥ ＳＡＰを介してＭＬＭＥに知られるようになり、ＭＬＭＥは、これを反映した適切なチャネル時間割当要求コマンドをＰＮＣ５０に転送してチャネル時間の割り当てを要求する。
【００２５】
図３に戻って本発明に係るチャネル時間割り当て方法の説明をつづける。
ＰＮＣ５０は、ＤＥＶ１（１０）からチャネル時間割当要求コマンドを受けた場合、ＡＣＫ信号をＤＥＶ１（１０）に転送する（Ｓ１１０）。次いで、ＰＮＣ５０は、リソースを検査して利用可能であるか否かを確認した後、チャネル時間応答コマンドをＤＥＶ１（１０）に転送する（Ｓ１２０）。ＤＥＶ１（１０）は、これに対するＡＣＫ信号をＰＮＣ５０に転送する（Ｓ１３０）。次に、ＰＮＣ５０は、チャネル時間割当要求コマンドに含まれたアプリケーションの特性を検査する。検査の結果、タイプフィールドがＭＰＥＧ−２を意味する場合、続くフィールドを認識する。これにより、アプリケーションのフレームフィールドに合わせて現在のスーパーフレームの周期を調整し、ｐｓｅｕｄｏ−ｓｔａｔｉｃ ＣＴＡ（pseudo-static Channel Time Allocation；擬似静的なチャネル時間割り当て）の使用ができるように用意する。即ち、ＰＮＣ５０は、転送されたチャネル時間割当要求コマンドに含まれるＮ、Ｍフィールドからフレーム配置を解読し、Ｉｔｉｍｅ、Ｐｔｉｍｅ、Ｂｔｉｍｅフィールド値に合わせてスーパーフレームの時間を割り当て、かかる情報をビーコンのＣＴＡ ＩＥ（Channel Time Allocation IE）に載せてブロードキャストする（Ｓ１４０）。
【００２６】
ビーコンを介してチャネル時間が割り当てられた旨の情報を受信したＤＥＶ１（１０）およびＤＥＶ２（２０）は、割り当てられたチャネル時間に合わせてアプリケーションデータを送受信する（Ｓ１５０）。かかる過程を経てＭＰＥＧ−２ビデオのようなタイプのＶＢＲストリームを効率的に転送することができるチャネル時間が割り当てられる。
【００２７】
図７は、本発明に係るチャネル時間割り当て方法と従来のチャネル時間割り当て方法とを比較するための図である。同図において、従来のチャネル時間割り当て方法をＡおよびＢに示し、本発明に係るチャネル時間割り当て方法をＣに示す。同図に示されたように、従来のチャネル時間割り当て方法において、Ｉフレームの転送のための十分なチャネル時間が割り当てられていない場合、Ｉフレームは、Ｉ1、Ｉ2、Ｉ3、Ｉ4に分けられて転送される（Ａの場合）か、Ｉ1、Ｉ2に分けられて転送される（Ｂの場合）必要がある。しかし、本発明に係るチャネル時間割り当て方法では、一番大きなＩフレームの大きさに応じてチャネル時間が割り当てられ（Ｃの場合）、Ｉフレームは、一度に転送されるためより効率的である。
【００２８】
図８乃至図１０は、同一の環境条件下で、本発明に係るチャネル時間割り当て方法とＩＥＥＥ８０２．１５．３ｘの標準によるチャネル時間割り当て方法との性能をシミュレートした結果を示すものである。図８は、ＪＦＲ（Job Failure Rate）に関するグラフであり、“ａａｍ”は、本発明に係るチャネル時間割り当て方法のＪＦＲを示し、“ｓｔｄ”は、ＩＥＥＥ８０２．１５．３の標準に準じたチャネル時間割り当て方法のＪＦＲを示す。図９は、スループットに関するグラフであり、ここで、“ａｍｍ−ｔｈｐｕｔ”は、本発明に係るチャネル時間割り当て方法のスループットを示し、“ｓｔｄ−ｔｈｐｕｔ”は、ＩＥＥＥ８０２．１５．３ｘ標準に準じたチャネル時間割り当て方法のスループットを示す。図１０は、ｄｅｌａｙ ｖａｒｉｅｎｃｅに関するフラグであり、“ｄｅｌａｙ＿ｖａｒｉｅｎｃｅ＿ａｍｍ”が本発明に係るチャネル時間割り当て方法のｄｅｌａｙ ｖａｒｉｅｎｃｅを示し、“ｄａｌａｙ＿ｖａｒｉｅｎｃｅ＿ｓｔｄ”は、ＩＥＥＥ８０２．１５．３ｘの標準に準じたチャネル時間割り当て方法のｄｅｌａｙ ｖａｒｉｅｎｃｅを示す。
【００２９】
図８乃至図１０からわかるように、本発明に係るチャネル時間割り当て方法は、ＩＥＥＥ８０２．１５．３ｘの標準に準じたチャネル時間割り当て方法に比べてＪＦＲおよびｄｅｌａｙ ｖａｒｉｅｎｃｅは低くスループットは高くなる。従って、本発明に係るチャネル時間割り当て方法を使用すると、ＩＥＥＥ８０２．１５．３ｘの標準に準じたチャネル時間割り当て方法を使用する場合に比べてＭＰＥＧ−２ビデオのようなＶＢＲストリームをより効率的に処理することが可能となる。
【００３０】
なお、本発明は、その精神または主要な特徴から逸脱することなく、他のいろいろな形で実施することができる。そのため、上述の実施形態は、あらゆる点で単なる例示にすぎず、限定的に解釈してはならない。本発明の範囲は、特許請求の範囲によって示すものであって、明細書本文には、なんら拘束されない。さらに、特許請求の範囲の均等範囲に属する変形や変更は、全て本発明の範囲内のものである。
【産業上の利用可能性】
【００３１】
本発明は、無線個人領域ネットワークにおいてＭＰＥＧ−２ビデオのようなＶＢＲストリームを効率的に支援することができるチャネル時間割り当て方法およびこの方法を使用する無線システムに適用することができる。
【図面の簡単な説明】
【００３２】
【図１】一般のＷＰＡＮの構成を示す図である。
【図２】本発明に係るチャネル時間割り当て方法を提供するためのデータデバイスの構成を示す図である。
【図３】本発明に係るチャネル時間割り当て方法を説明するためのメッセージシーケンスチャートである。
【図４】従来のチャネル時間要求コマンドの構成を示す図である。
【図５】図４のチャネル時間要求コマンドに付加されるフィールドを示す図である。
【図６】Ｉｔｉｍｅ、ＰｔｉｍｅおよびＢｔｉｍｅを算出する過程を説明するための図である。
【図７】本発明に係るチャネル時間割り当て方法と従来のチャネル時間割り当て方法とを比較した図である。
【図８】本発明に係るチャネル時間割り当て方法と従来のチャネル時間割り当て方法との性能をシミュレートした結果を示す図である。
【図９】本発明に係るチャネル時間割り当て方法と従来のチャネル時間割り当て方法との性能をシミュレートした結果を示す図である。
【図１０】本発明に係るチャネル時間割り当て方法と従来のチャネル時間割り当て方法との性能をシミュレートした結果を示す図である。
【符号の説明】
【００３３】
１０、２０、３０、４０、５０    データデバイス
【図１】
2004343759.tif 000004
【図２】
2004343759.tif 000005
【図３】
2004343759.tif 000006
【図４】
2004343759.tif 000007
【図５】
2004343759.tif 000008
【図６】
2004343759.tif 000009
【図７】
2004343759.tif 000010
【図８】
2004343759.tif 000011
【図９】
2004343759.tif 000012
【図１０】
2004343759.tif 000013